(57)【要約】【課題】ホースの重量による影響を受けずに、ホースを取り付けた状態のホースニップルを、作業装置に容易にねじ結合することができる技術を提供すること。【解決手段】ホースカップリング５０の内周面５３には、先端に形成されるテーパ部５４と、吸い込み用のノズル４０の雄ねじ部４２にねじ込まれる雌ねじ部５５及び非ねじ部５６と、シール部材３４を支持するシール支持部５７と、ホースニップル５２のフランジ５２ａを支持するフランジ支持部５８とが形成されている。非ねじ部５６は、雌ねじ部５５よりも、ホースカップリング５０のなかの、吸い込み用のノズル４０に挿入される先端側に位置している。テーパ部５４は、非ねじ部５６よりも、ホースカップリング５０のなかの、吸い込み用のノズル４０に挿入される先端側に位置している。非ねじ部５６の内径ｄ２は、雄ねじ部４２に嵌合可能な大きさに設定されている。【選択図】図２
2015052344.tif 000002
【特許請求の範囲】
【請求項１】
ホースを取り付けた状態のホースニップルに、環状のホースカップリングを備え、このホースカップリングを作業装置のノズルにねじ結合するホース取付構造において、
前記ノズルの外周面には、雄ねじ部が形成され、
前記ホースカップリングの内周面には、前記雄ねじ部にねじ込まれる雌ねじ部と、非ねじ部とが形成され、
前記非ねじ部は、前記ホースカップリングのなかの、前記ノズルに挿入される先端側に位置し、
前記非ねじ部の径は、前記雄ねじ部に嵌合可能な大きさに設定されていることを特徴とするホース取付構造。
【発明の詳細な説明】
【技術分野】
【０００１】
本発明は、作業装置にホースを取り付けるホース取付構造の改良に関する。
【背景技術】
【０００２】
水ポンプのような作業装置にホースを取り付けるホース取付構造として、ホースニップルを介してホースを水ポンプに取り付ける構造がある。ホースニップルには、爪を利用して水ポンプに取り付ける構造や、ねじを利用して水ポンプに取り付ける構造がある。このようなホース取付構造として、例えば下記の特許文献１に記載された技術が知られている（例えば、特許文献１（図１）参照。）。
【０００３】
この特許文献１に示されるホース取付構造は、水ポンプの水平方向に形成された吸込口にホースが取り付けられた構造である。水ポンプの吸込口には雌ねじ部が形成され、ホースが取り付けられた状態のホースニップルの一端部には雄ねじ部が形成され、この雄ねじ部が吸込口の雌ねじ部にねじ込まれている。
【０００４】
しかし、ホースを取り付けた状態のホースニップルを、水ポンプの吸込口にねじ込む際、ホースの重量によりホースニップルが傾くので、ねじ部がかみ合わせにくい。このため、ホースニップルを水平に吸込口に位置合わせし、ねじ部を適正に締め付けることが困難である。ホースを取り付けた状態のホースニップルを、水ポンプの吸込口にねじ結合するには、改良の余地がある。
【先行技術文献】
【特許文献】
【０００５】
【特許文献１】特開平２−１９９２９５号公報
【発明の概要】
【発明が解決しようとする課題】
【０００６】
本発明は、ホースの重量による影響を受けずに、ホースを取り付けた状態のホースニップルを、作業装置に容易にねじ結合することができる技術を提供することを課題とする。
【課題を解決するための手段】
【０００７】
請求項１に係る発明によれば、ホースを取り付けた状態のホースニップルに、環状のホースカップリングを備え、このホースカップリングを作業装置のノズルにねじ結合するホース取付構造において、前記ノズルの外周面には、雄ねじ部が形成され、前記ホースカップリングの内周面には、前記雄ねじ部にねじ込まれる雌ねじ部と、非ねじ部とが形成され、前記非ねじ部は、前記ホースカップリングのなかの、前記ノズルに挿入される先端側に位置し、前記非ねじ部の径は、前記雄ねじ部に嵌合可能な大きさに設定されていることを特徴とする。
【発明の効果】
【０００８】
請求項１に係る発明では、ホースを取り付けた状態のホースニップルに、環状のホースカップリングが備えられ、ホースカップリングの内周面には、作業装置のノズルの雄ねじ部にねじ込まれる雌ねじ部と、非ねじ部とが形成される。非ねじ部は、ノズルに挿入される先端側に位置し、非ねじ部の径は、雄ねじ部に嵌合可能な大きさに設定されているので、ホースカップリングの非ねじ部がガイドの役割を果たす。このため、ホースカップリングがガイドされ、ホースカップリングの軸とノズルの軸とが一致するので、位置合わせが容易であるとともに、ねじ部同士の噛み込みを防止し、ホースの重量による影響を受けずに、ねじ部を適正に締め付けることができる。結果、ホースを取り付けた状態のホースニップルを、作業装置のノズルに容易にねじ結合することができる。
【０００９】
また、ホースカップリングの非ねじ部が、ノズルの雄ねじ部の端部を覆うので、泥やゴミなどからねじ部を保護することができる。
【図面の簡単な説明】
【００１０】
【図１】本発明に係るホース取付構造が採用された作業装置の断面図である。
【図２】図１に示された作業装置の要部拡大図である。
【図３】比較例に係るホース取付構造の作用図である。
【図４】図１に示されたホース取付構造の作用図である。
【発明を実施するための形態】
【００１１】
本発明を実施するための形態を添付図に基づいて以下に説明する。
【実施例】
【００１２】
先ず、実施例に係る作業装置について説明する。
図１に示されるように、作業装置１０は例えば水ポンプである。この水ポンプ１０は、エンジン１１と、このエンジン１１のシリンダブロック１２に設けられたケース２１と、このケース２１の吸込口２２に設けられた吸い込み用のノズル４０と、ケース２１の吐出口２４に設けられた吐出用のノズル２５とを有する。
【００１３】
エンジン１１は、シリンダブロック１２の仕切壁１３と、この仕切壁１３の支持孔１４に設けられたメカニカルシール１５と、このメカニカルシール１５に回転自在に設けられたクランク軸１６とを有する。このクランク軸１６の端部１７はケース２１内に突出しており、この端部１７に羽根車３１が連結されている。
【００１４】
ケース２１内にボリュート３２が配置され、このボリュート３２に羽根車３１が覆われている。ケース２１の開口部２６が仕切壁１３で閉塞され、仕切壁１３にボリュート３２が設けられることにより、仕切壁１３、ケース２１及びボリュート３２でケース内流路３３が形成されている。ケース内流路３３は、ケース２１及びボリュート３２間に略環状に形成されている。
【００１５】
ケース２１は、仕切壁１３に対向する吸込側壁部２７と、この吸込側壁部２７に設けられた吸込口２２に連通する吸込通路部２８と、吸込側壁部２７の縁に沿って設けられた環状の周壁部２９とを有する。
【００１６】
吸い込み用のノズル４０は、ケース２１の吸込口２２から水平に延びており、外周面４１の先端側に雄ねじ部４２が形成されている。
【００１７】
また、吸い込み用のノズル４０に、ホース５１を取り付けた状態のホースニップル５２が、ホースカップリング５０によって取り付けられている。吸い込み用のノズル４０の先端にはシール部材３４が配置され、このシール部材３４は、ホースニップル５２と吸い込み用のノズル４０によって狭持されている。
【００１８】
次に本発明の要部について説明する。
図１及び図２に示されるように、ホースカップリング５０の内周面５３には、先端に形成されるテーパ部５４と、吸い込み用のノズル４０の雄ねじ部４２にねじ込まれる雌ねじ部５５及び非ねじ部５６と、シール部材３４を支持するシール支持部５７と、ホースニップル５２のフランジ５２ａを支持するフランジ支持部５８とが形成されている。
【００１９】
また、ホースカップリング５０はハンドル部５９を有し、このハンドル部５９によって、ホースカップリング５０を容易に回すことができる。
【００２０】
非ねじ部５６は、雌ねじ部５５よりも、ホースカップリング５０のなかの、吸い込み用のノズル４０に挿入される先端側に位置している。テーパ部５４は、非ねじ部５６よりも、ホースカップリング５０のなかの、吸い込み用のノズル４０に挿入される先端側に位置している。
【００２１】
テーパ部５４は、非ねじ部５６に連続して形成されており、非ねじ部５６側から先端に向かって末広がりになるように形成されている。テーパ部５４の最大内径はｄ１であり、非ねじ部５６の内径はｄ２であり、雌ねじ部５５の内径はｄ３であり、ｄ３＜ｄ２＜ｄ１である。雌ねじ部５５の谷の径は、非ねじ部５６の内径と略同等である。
【００２２】
吸い込み用のノズル４０の雄ねじ部４２の外径はＤ４である。非ねじ部５６の内径ｄ２は、雄ねじ部４２の外径Ｄ４と略同等または若干大きい。すなわち、非ねじ部５６の内径ｄ２は、雄ねじ部４２に嵌合可能な大きさに設定されている。また、非ねじ部５６の軸方向の長さはＬ１であり、この長さＬ１は、雄ねじ部４２のねじ山２個分以上の長さに設定されている。
【００２３】
このため、ホースカップリング５０をノズル４０に取り付ける際、先ずテーパ部５４が、ノズル４０の先端部中心と、ホースカップリング５０の先端部中心とを合わせる第１のガイドの役割を果たす。次に非ねじ部５５が、ノズル４０の軸と、ホースカップリング５０の軸とを一致させる第２のガイドの役割を果たす。結果、ノズル４０の雄ねじ部４２に、ホースカップリング５０の雌ねじ部５５を、容易に且つ適正に締め付けることができる。
【００２４】
次に比較例のホース取付構造の作用について説明する。
図３（ａ）は比較例の作業装置１００を示す図であり、作業装置１００はノズル１０１を有し、ノズル１０１の先端部に雄ねじ部１０２が形成されている。また、ホース１０３を取り付けた状態のホースニップル１０４に、環状のホースカップリング１０５が備えられ、このホースカップリング１０５の内周面１０６には、ノズル１０１に挿入される先端にテーパ部１０７が形成され、テーパ部１０７に連続して雌ねじ部１０８が形成されている。
【００２５】
ホースニップル１０４及びホースカップリング１０５は、ホース１０３の重量により矢印Ａの方向に力を受け、ノズル１０１に対して若干傾いている。ホースカップリング１０５をノズル１０１に挿入する際、テーパ部１０７により、ノズル１０１の先端部中心と、ホースカップリング１０５の先端部中心とが合わせられるが、ホースニップル１０４及びホースカップリング１０５は、ノズル１０１に対して傾いたままである。このため、雄ねじ部１０２に雌ねじ部１０８が噛み込んでしまい、ねじ締結が容易ではない。
【００２６】
図３（ｂ）は比較例の作業装置１００における、ねじ締結後の状態を示す図であり、ホースカップリング１０５は、ノズル１０１に対して奥まで挿入されている。ホースカップリング１０５の内周面１０６の先端から雌ねじ部１０８が形成されているため、雄ねじ部１０２の基端側から泥水やゴミが侵入しやすい。
【００２７】
次に実施例のホース取付構造の作用について説明する。
図４（ａ）は実施例の作業装置１０を示す図であり、ホースニップル５２及びホースカップリング５０は、ホース５１の重量により矢印Ｂの方向に力を受け、ノズル４０に対して若干傾いている。ホースカップリング５０をノズル４０に挿入する際、テーパ部５４により、ノズル４０の先端部中心と、ホースカップリング１０５の先端部中心とが合わせられる。
【００２８】
図４（ｂ）は実施例のホースカップリング５０を若干ノズル４０に挿入した状態を示す図であり、ホースカップリング５０の非ねじ部５６が、ノズル４０の雄ねじ部４２に沿っって前進する。このため、ノズル４０の軸とホースカップリング５０の軸とが一致し、ガイドの役割を果たす。このため、雄ねじ部４２に雌ねじ部５５が噛み込むことを防止でき、容易にねじ締結することができる。
【００２９】
図４（ｃ）は実施例の作業装置１０における、ねじ締結後の状態を示す図であり、ホースカップリング５０は、ノズル４０に対して奥まで挿入されている。ホースカップリング５０の先端部には、ノズル４０の雄ねじ部４２の外径と、略同径の非ねじ部５６が形成されているため、雄ねじ部４２は非ねじ部５６に覆われ、雄ねじ部４２の基端側からの泥水やゴミの侵入を防止することができる。結果、雄ねじ部４２及び雌ねじ部５５を、泥水やゴミから保護することができる。
【００３０】
以上に述べたホース取付構造をまとめて以下に記載する。
図１、図２及び図４に示されるように、非ねじ部５６は、ノズル４０に挿入される先端側に位置し、非ねじ部５６の径は、雄ねじ部４２に嵌合可能な大きさに設定されているので、ホースカップリング５０の非ねじ部５６がガイドの役割を果たす。このため、ホースカップリング５０がガイドされ、ホースカップリング５０の軸とノズル４０の軸とが一致するので、位置合わせが容易であるとともに、ねじ部４２，５５同士の噛み込みを防止し、ホース５１の重量による影響を受けずに、ねじ部４２，５５を適正に締め付けることができる。結果、ホース５１を取り付けた状態のホースニップル５２を、作業装置１０のノズル４０に容易にねじ結合することができる。
【００３１】
また、ホースカップリング５０の非ねじ部５６が、ノズル４０の雄ねじ部４２の端部を覆うので、泥やゴミなどからねじ部４２，５５を保護することができる。
【００３２】
尚、実施例では、作業装置を水ポンプとしが、これに限定されず、ホースを取り付けた状態のホースニップルに、環状のホースカップリングを備え、このホースカップリングを作業装置のノズルにねじ結合する構造であれば、他の作業装置であっても差し支えない。また、実施例では、吸い込み用のノズルに適用したが、これに限定されず、吐出用のノズルに適用しても差し支えない。さらに、実施例では、水平に延びるノズルに適用したが、これに限定されず、傾斜したノズルや、上下方向に延びるノズルに適用しても差し支えない。
【産業上の利用可能性】
【００３３】
本発明のホース取付構造は、水ポンプのノズルへのホースの取付に好適である。
【符号の説明】
【００３４】
１０…作業装置（水ポンプ）、４０…吸い込み用のノズル、４１…ノズルの外周面、４２…ノズルの雄ねじ部、５０…ホースカップリング、５１…ホース、５２…ホースニップル、５３…ホースカップリングの内周面、５５…ホースカップリングの雌ねじ部、５６…ホースカップリングの非ねじ部。
【図１】
2015052344.tif 000003
【図２】
2015052344.tif 000004
【図３】
2015052344.tif 000005
【図４】
2015052344.tif 000006